Podtech/llm-jp-corpus-v4-ja_patent huggingface dataset:
(57)【要約】【課題】  植木鉢に水を掛けても、鉢土が吸収する水以外は全て鉢穴から外に出てしまい、植物が水枯れし易いという不都合を解決すること。【解決手段】  植木鉢側面下部に外から内に向けて斜め下に小さな穴を複数空けた植木鉢により、掛けた水の一部が穴より下に溜まり、この問題を解決する。【選択図】図１
2009060886.tif 000002
【特許請求の範囲】
【請求項１】
植木鉢の側面下部に外から内に向けて斜め下に小さな穴を複数空けた植木鉢。
【発明の詳細な説明】
【技術分野】
【０００１】  本発明は、植木鉢に関するものであり、植木鉢の穴を新しい形態にすることによって、植物の水枯れを遅らせるようにしたものである。
【背景技術】
【０００２】従来から、植木鉢は鉢底に穴を空けているか、その穴に取り外し出来る栓を付けている。
なお、特許文献、非特許文献については調べてはいない。
【発明の開示】
【発明が解決しようとする課題】
【０００３】  しかし、従来のような鉢底に穴を空けた植木鉢では、水を掛けても鉢土が水を吸収した残りは全て穴から外に出てしまうので、鉢土が吸収した水が無くなると植物は水枯れとなる。又、取り外しできる栓を付けても水を掛ける時には栓を外さなければならず、穴から水が出た後に栓をしても鉢土の水が無くなると植物は水枯れとな。
【課題を解決するための手段】
【０００４】  この課題を解決するための請求項１の発明は、植木鉢側面下部に外から内に向けて斜め下に小さな穴を複数空けたことを特徴とする植木鉢である。
【発明の効果】
【０００５】  この鉢により、鉢に掛けた水の一部は側面下部に空けた穴より下に溜まり、植物の水枯れを遅らせることができる。
【発明を実施するための最良の形態】
【０００６】  図１は、植木鉢の側面下部に外から内に向けて斜め下に小さな穴を複数空けたことを特徴とし、鉢に掛けた水の一部は側面下部に空けた穴より下に溜まり、植物の水枯れを遅らせることができる。【０００７】  又、穴を斜め下に空けたことにより、鉢土の流失を少なくすることができる。【０００８】  植木鉢は、土、プラスチックなどで通常のもので良い。
【産業上の利用可能性】
【０００９】  本発明に係る植木鉢は、工業的に量産することが可能であるため、産業上の利用可能性を有する。
【図面の簡単な説明】
【００１０】  植木鉢側面下部に外から内に向けて斜め下に小さな穴を複数空けた植木鉢の断面図である。
【符号の説明】
１    植木鉢側面下部に外から内に向けて斜め下に空けた小さな穴
【図１】
2009060886.tif 000003
(57)【要約】【課題】胴体表面に視認性の高い彫刻模様を有する合成樹脂製ブロー容器を提案する。【解決手段】彫刻模様を、ブロー成形に用いるプリフォームの射出成形時に形成される凸部1と、該プリフォームを用いたブロー成形に際して該凸部1の周りに形成される溝部2にて構成する。【選択図】図１
2009179382.tif 000002
【特許請求の範囲】
【請求項１】
胴体表面に彫刻模様を有する合成樹脂製ブロー容器であって、
該彫刻模様は、ブロー成形に用いるプリフォームの射出成形時に形成される凸部と、該プリフォームを用いたブロー成形に際して該凸部の周りに形成される溝部からなる、ことを特徴とする彫刻模様付きの合成樹脂製ブロー容器。
【発明の詳細な説明】
【技術分野】
【０００１】
本発明は、彫刻模様の付された、とくに肉厚の化粧品容器に用いて好適な合成樹脂製ブロー容器に関するものであり、ブロー成形時に胴体表面に形成する模様や文字、記号（以下、これらを単に模様という）を明確に浮き立たせて該模様の視認性をより一層高めようとするものである。
【背景技術】
【０００２】
ペットボトルに代表される合成樹脂製のボトルは、軽量で取り扱いが容易であり、また、透明性を確保することが可能であることからガラス製の容器に比較して遜色のない外観を呈し、しかも、コスト的にも安価であることから、近年、食品や飲料、化粧料あるいは薬剤等を充填する容器として多用されている。
【０００３】
通常、この種の容器は、その胴体表面に印刷を施すか、ラベルを貼着して商品の識別化を図るのが普通になっているところ、どの商品もデザイン的には大差がなく、そのために容器の外観形状に工夫を加えるか、ブロー成形に際して容器の胴体表面に凹凸模様を付与するか、あるいは容器の本体部分を積層構造としその中間層にひび割れ模様を付加する等により対処しているのが現状であった（例えば、特許文献1参照）。
【特許文献１】特開2007-223628号公報
【０００４】
ところで、容器の外観形状に工夫を加える場合や積層構造をもった容器の成形においては、成形条件などの管理が難しく効率的な製造が困難であり、また、容器の胴体表面に凹凸模様を形成する場合にあっては、ブロー金型の内表面に予め形成した凹凸模様を転写することになるので、該模様を明確に浮かび上がらせるのが困難で視認性に欠ける不具合があった。
【発明の開示】
【発明が解決しようとする課題】
【０００５】
本発明の課題は、印刷やラベルの貼着以外でもって容器の胴体外表面に付された模様を明確に浮かび上がらせることができる視認性の高い合成樹脂製ブロー容器を提案するところにある。
【課題を解決するための手段】
【０００６】
本発明は、胴体表面に彫刻模様を有する合成樹脂製ブロー容器であって、
該彫刻模様は、ブロー成形に用いるプリフォームの射出成形時に形成される凸部と、該プリフォームを用いたブロー成形に際して該凸部の周りに形成される溝部からなる、ことを特徴とする彫刻模様付きの合成樹脂製ブロー容器である。
【０００７】
本発明において適用する合成樹脂としては、ポリエチレンテレフタレートやポリプロピレン等を用いることができる。
【発明の効果】
【０００８】
ブロー成形に用いるプリフォームを射出形成する際にその外表面に模様となるべき凸部を設けておくと、該プリフォームを用いて容器をブロー成形するときに該凸部の周りに溝部が形成されることとなり、これにより容器の胴体表面には影が生じ（濃淡が現れる）、凸部が模様や文字、記号を表示するものである場合に、それが彫刻模様のように胴体表面に明確に浮き出ることになる。
【発明を実施するための最良の形態】
【０００９】
以下、図面を用いて本発明をより具体的に説明する。
図1は本発明にしたがう合成樹脂製ブロー容器の実施の形態をその断面について示した図であり、図2はその外観斜視図である。
【００１０】
図における1はプリフォームの射出成形段階で形成された模様（文字、記号を含む）を表す凸部、2はブロー成形時に形成された溝部である。かかる容器においては溝部2による影が生じ模様が容器の胴体表面に浮き出るため視認性が著しく改善される。
【００１１】
ブロー成形に際して用いるプリフォームを射出成形するには図3に示すように容器の胴体に対応する位置に予め模様を表示する凸部1を形成しておく。かかるプリフォームを用いたブロー成形においては、その要部を拡大して図4に示すように、まず凸部1の先端1aがブロー金型の壁面に当接してその部位から冷却が始まり、次いで、凸部1のつけ根部近傍域Kがブロー圧力により膨らんでいく。そして該つけ根近傍域Kが金型内壁面に到達することで凸部1の先端1aと同様の冷却が始まり、この際、該つけ根近傍域Kは温度が上昇しているため凸部1を取り囲むように変形することとなり、結果的に該凸部1を取り囲む溝部2が形成される。
【００１２】
プリフォームの射出成形時に形成される凸部1としては、その高さt（突き出し代）はプリフォームの肉厚の20〜100％程度とするのが好ましく、幅wについては20〜100％程度とするのが好ましい。また、凸部1とプリフォームの接合部におけるR（アール）（図4参照）を適宜調整することにより溝部2の幅や深さを調整してもよい。
【産業上の利用可能性】
【００１３】
胴体表面に視認性の高い彫刻模様の付した合成樹脂製ブロー容器が提供できる。
【図面の簡単な説明】
【００１４】
【図１】本発明にしたがう彫刻模様付きの合成樹脂製容器の実施の形態を断面について示した図である。
【図２】図1に示した容器の外観斜視図である。
【図３】ブロー成形に用いるプリフォームの断面を示した図である。
【図４】ブロー成形時の変形状況を示した図である。
【符号の説明】
【００１５】
1  凸部
2  溝部
【図１】
2009179382.tif 000003
【図２】
2009179382.tif 000004
【図３】
2009179382.tif 000005
【図４】
2009179382.tif 000006
(57)【要約】【課題】  男性が室内着としてスカートを着用する際、排尿時に陰部を取り出しにくいという不便を解決すること。【解決手段】  衣料品であるスカート１に、前開き穴２を有することにより、この課題を解決する。【選択図】図１
2009179926.tif 000002
【特許請求の範囲】
【請求項１】
衣料品であるスカートに、男性が排尿時に陰部を取り出すための前開き穴を有することを特徴とする、男性用スカート室内着。
【発明の詳細な説明】
【技術分野】
【０００１】  本発明は、男性用スカート室内着に関するものであり、下着を着けずに着用するものである。
【背景技術】
【０００２】  従来のスカートは、女性が着用する前提で作られていたため、本案に関する特許文献はありません。
【発明の開示】
【発明が解決しようとする課題】
【０００３】  従来のスカートは、男性が排尿時に陰部を取り出すための前開き穴がないので、男性の着用には非常に不便であった。【０００４】  また、従来の男性用下着は、陰部が股下の生地によって包み込まれる構造になるので、陰部に圧迫感があり、風通しも悪く不快であった。特に夏季は発汗量も多くなるので、不快で苦痛であった。【０００５】  さらに、従来の男性用下着は、痔疾を患っている場合は、患部と股下の生地が常に接触するので、症状が悪化することがあった。
【課題を解決するための手段】
【０００６】  この課題を解決するための請求項１の発明は、衣料品であるスカートに、男性が排尿時に陰部を取り出すための前開き穴を有しているので、陰部を容易に取り出すことができる。
【発明の効果】
【０００７】  本発明は、排尿時に陰部を取り出すための前開き穴があるので、男性でも実用的に着用できる。【０００８】  また本発明は、スカート形状のため、陰部を包み込まない構造になるので圧迫感から解消され、風通しも良く快適である。【０００９】  さらに本発明は、スカート形状のため、痔疾を患っている場合でも患部と生地が接触しないので、症状の悪化を防ぐことができる。【００１０】  本発明は、休日等の室内着や、就寝時のパジャマ着として適している。
【発明を実施するための最良の形態】
【００１１】  図１は、衣料品であるスカート１に、男性が排尿時に陰部を取り出すための前開き穴２を有することを特徴とした、男性用スカート室内着の斜視図であり排尿時に陰部を容易に取り出すことができるので、男性でもスカート形状の室内着を実用的に着用できる。
【産業上の利用可能性】
【００１２】  本発明は、工業的に量産することが可能であるため、産業上の利用可能性を有する。【００１３】  スカート１にスリット３を入れることにより、あぐら座りが容易にできる。
【図面の簡単な説明】
【００１４】
【図１】  本発明を男性が着用した時の斜視図。
【符号の説明】
【００１５】  １  スカート      ２  前開き穴      ３  スリット
【図１】
2009179926.tif 000003
(57)【要約】【課題】本発明の目的は、コストアップすることなくインクカートリッジの使用可能なインク容量のばらつきをなくすことである。【解決手段】上記課題を解決するための本発明の制御構成は、実装されているインクカートリッジが未使用インクカートリッジであることを検出し、未使用インクカートリッジである場合はインクカートリッジのインク容量の公称値を表示し、その値から使用したインク量を減算した値をインク残量として表示することである。【選択図】図１
2009179017.tif 000002
【特許請求の範囲】
【請求項１】
ヘッドにインクを供給するインクカートリッジと、インクカートリッジ内のインク残量を測定するインク残量測定手段と、インク残量を表示するインク残量表示手段と、インクカートリッジが新品か否かを検出する未使用インクカートリッジ検出手段とを備えた液滴吐出装置において、未使用インクカートリッジが実装されたことを検出したときはインク残量表示を新品インクカートリッジのインク量の公称値を表示し、該インクカートリッジ使用後は前記公称値から使用したインク量を減算した値をインク残量として表示することを特徴とする液滴吐出装置。
【発明の詳細な説明】
【技術分野】
【０００１】
本発明は、インクジェット方式による液滴吐出装置に実装されるインクカートリッジ内の、インク残量表示に関するものである。
【背景技術】
【０００２】
インクジェット方式による液滴吐出装置では、インクカートリッジを交換するタイミングを知るためにインクカートリッジ内のインク残量を測定し、表示部にインク残量を表示する必要がある。また、インク残量が０になった場合は、インクジェット式液滴吐出装置のヘッドからの液滴吐出を停止している。
【０００３】
このインクカートリッジ内のインク残量を測定方法として、たとえば超音波を使用してインク残量検出方法が提案されている。（例えば、特許文献１参照）
この方法は、超音波センサで超音波センサからインク液面までの距離を測定し、その距離をインク残量に換算してインク残量を測定する方法である。
【０００４】
この方法では超音波センサの特性のばらつき、超音波センサ制御回路の特性のばらつき、未使用インクタンク内のインク容量のばらつき等により、未使用のインクタンクを実装したときのインク残量表示がインクカートリッジのインク容量の公称値と異なる場合があるといった欠点があった。たとえば、インク容量の公称値が５００ｍｌのインクタンクを実装しても、インク残量の表示が４９９ｍｌや、５０１ｍｌと表示されることがあり、実際に使用できるインク量が公称値と異なり顧客のインクカートリッジの手配計画が立てずらい、また使用できるインク量が公称値よりも小さいと顧客の製品への印象が悪くなる等の欠点があった。
【０００５】
【特許文献１】特開２００７−１５２８６１号公報
【発明の開示】
【発明が解決しようとする課題】
【０００６】
前述の未使用インクカートリッジを実装した場合のインク残量表示のばらつきをなくすためには、調整や部品の選別等により超音波センサと超音波センサ制御回路の特性のばらつきを小さくし、新品インクカートリッジに充填するインク容量の測定精度、作業品質を向上させる必要があるが、インクジェット式液滴吐出装置、インクカートリッジのコストがアップとなってしまう。
【０００７】
本発明が解決しようとする課題は、コストアップすることなく、未使用インクカートリッジを実装した場合のインク残量表示のばらつきをなくすことである。
【課題を解決するための手段】
【０００８】
上記課題を解決するための本発明の制御構成は、実装されているインクカートリッジが未使用インクカートリッジであることを検出し、未使用インクカートリッジである場合はインクカートリッジのインク容量の公称値を表示し、該インクカートリッジ使用後は前記公称値から使用したインク量を減算した値をインク残量として表示することである。
【発明の効果】
【０００９】
液滴吐出装置において、本発明のインク残量表示方式を実施することで、未使用インクカートリッジを実装した場合のインク残量表示のばらつきをなくすことができる。
【発明を実施するための最良の形態】
【００１０】
以下実施例図面を参照して本発明を詳述する。
【００１１】
図１は本発明の実施例である。図１において、インク残量測定手段３は、超音波センサ１と超音波センサ制御回路２で構成されている。超音波センサ1と超音波センサ制御回路２により超音波センサとインク液面との距離を測定し、全体制御回路７で超音波センサとインク液面との距離をインク残量に換算する。上位装置（図示せず）からの吐出データ受信、画像データ作成、ヘッド駆動制御も全体制御回路７で行っている。
【００１２】
インクカートリッジ６には、不揮発性メモリ４が実装されていて、インクカートリッジが未使用の場合、未使用であることを示すデータが書き込まれている。不揮発性メモリ制御回路５で不揮発性メモリ４内の未使用カートリッジであることを示すデータを読み込み、全体制御部７でカートリッジが未使用であると判断した場合はインクカートリッジのインク容量の公称値を表示部８に表示し、不揮発性メモリ４の未使用カートリッジであることを示すデータを消去する。
【００１３】
図２は本実施例でのインク残量表示例である。図2において、不揮発性メモリの特定bitを未使用カートリッジであることを示すデータとして使用し、１の場合は未使用カートリッジであると定義している。インクカートリッジのインク容量の公称値は５００ｍｌ、実際にはインクカートリッジには公称値より多めのインクが充填してあり、図２の例では６００ｍｌ充填してある。
【００１４】
図２で、未使用インクカートリッジがインクジェット式液滴吐出装置に実装されたときのインク残量測定値は５９９ｍｌで、公称値よりも１ｍｌ少ないが、インクカートリッジが未使用であることを示すbitが１であり、実装されたインクカートリッジが未使用であると判断されるためインク残量としてインク容量の公称値である５００ｍｌを表示し、不揮発性メモリ内の未使用カートリッジであることを示すbitを０に書き換える。インクが消費されインク残量計測値が変化すると、その消費量分だけインク容量の公称値から減算しインク残量として表示する。インク残量表示が０になると、ヘッドからの液滴吐出を停止する。この方法により、未使用インクカートリッジを実装した場合のインク残量計測値にかかわらず、公称値である５００ｍｌを使用することができる。
【図面の簡単な説明】
【００１５】
【図１】本発明の実施方法を示した説明図である。（実施例１）
【図２】本発明によるインク残量の表示例を示した説明図である。
【符号の説明】
【００１６】
１は超音波センサ、２は超音波センサ制御回路、３はインク残量測定手段、４は不揮発性メモリ、５は不揮発性メモリ制御回路、６はインクカートリッジ、７は全体制御部、８は表示部である。
【図１】
2009179017.tif 000003
【図２】
2009179017.tif 000004
(57)【要約】【課題】  本発明は、筆記用ペンや、情報端末等にデーター入力する押圧入力ペンを装着し筆記やデーター入力し、指を離しても掌中に安全に保持されて、空いた手でタイプ作業等が出来なかったのを解決するペンホルダーを提供します。【手段】  筆挿し孔（５）の孔壁上側に、前後に傾斜した斜辺（８）を設けてホルダー（７）を形成し、このホルダー（７）に前後に貫通するバンド通し孔（４）を設け、この孔に環状バンド（６）を交換自在に填め込んである。【選択図】図１
2009179054.tif 000002
【特許請求の範囲】
【請求項１】
筆挿し孔（５）の孔壁上側に、前後に傾斜した斜辺（８）を設けてホルダー（７）を形成し、ホルダー（７）の前後端部に環状バンド（６）を取り付けられるようにした、ペンホルダー。
【請求項２】
ホルダー（７）に、ホルダー本体（１）ホルダー溝（２）ホルダー蓋（３）よりなるバンド通し孔（４）を前後貫設し、この孔に環状バンド（６）を交換自在に嵌め込んでなる、請求項１記載の斜辺（８）を設けたペンホルダー。
【請求項３】
筆挿し孔（５）内に、外周が筆挿し孔（５）と摺動自在に嵌合し、内周に挿入されるペンの径や形に合わせて、これと摺動自在に嵌合する摺動管（１０）を嵌め込んでなる請求項１記載の、斜辺（８）を設けたペンホルダー。
【発明の詳細な説明】
【発明の詳細な説明】
【技術分野】
【０００１】この発明は、筆記用ペンや情報端末等にデーター入力する押圧入力ペンを装着したまま、筆記やデーター入力したり、手を離しても、ペン先が掌に触れずに掌中に横にして収納保持することが出来るペンホルダーに関するものである。
【背景技術】
【０００２】従来、手の中の邪魔にならない位置にペン等が保持される技術は知られているが、ペン等を手から離さずに使用し保持するものはない。（特許文献１参照）【０００３】
【特許文献１】特願平１０−２４２５９３
【発明が解決しようとする課題】
【０００４】  ペンを使用したり、収納したりするとき次の問題点があった。
一方の手のみで、ペンを使用し、収納し、手指五本が自由に使用出来るペンホルダーは無かったし、更に収納時ペン先が掌に触れ邪魔になる欠点があった。
本発明は、以上の問題点を解決し、使用収納が一方の手で交互連続して出来るペンホルダーを提供しようとするものである。
【課題を解決するための手段】
【０００５】  上記目的を達成するために、本発明におけるペンホルダーは、合成樹脂等で作成され、筆挿し孔（５）の孔壁上側に、前後に傾斜した斜辺（８）を設けるか、若しくは前後の高位点を結んだ線を筆挿し孔（５）の軸線に対し斜傾させて、ホルダー（７）を形成し、ホルダー（７）の上部の前後端部に必要に応じて長さ調節部（９）を含む環状バンド（６）を取り付けられるようにしたペンホルダーであり、これを次のようにしてもよい  。
即ちホルダー（７）に、ホルダー本体（１）ホルダー溝（２）ホルダー蓋（３）よりなるバンド通し孔（４）を前後貫設し、この孔に環状バンド（６）を摺動または交換自在に嵌め込んでもよい。
また筆挿し孔（５）内には、外周が筆挿し孔（５）と摺動自在に嵌合し、内周に挿入されるペンの径や形に合わせて、これと摺動自在に嵌合する弾性の合成樹脂・金属の摺動管（１０）を嵌め込む場合もある。
更に説明すればホルダー本体（１）の上端部に、ホルダー溝（２）を削設し合成樹脂・金属等のホルダー蓋（３）を前後にスライド自在に嵌め被せてある。なお、ホルダー（７）の側面にホルダー溝（２）を刻設しホルダー蓋（３）を、蝶動自在にホルダー（７）の側面に被せる場合もある。  （図４）
この環状バンド（６）は、中指と食指にわたってかけられる大きさの可撓弾性のゴム等の環状バンド（６）で、両端をホルダー（７）の前後両端にそれぞれ接合したり、環状にしてバンド通し孔（４）に嵌め込んでもよく、環の途中に必要に応じて環を開閉自在としたり長さを調整出来る長さ調節部（９）を設ける場合もある。  （図５）
なお筆挿し孔（５）内には、外周が筆挿し孔（５）と摺動自在に嵌合し、内周が挿入されるペンの径や形に合わせて、これと摺動自在に嵌合する弾性の合成樹脂・金属の前後端部に抜け止め鍔を設けた摺動管（１０）を嵌め込む場合もあり、必要に応じて筆挿し孔（５）壁に縦に割れ目を設ける。  （図６）
本発明は、以上の構成よりなる、ペンの使用と収納が出来るペンホルダーである。
【発明を実施するための最良の形態】
【０００６】  以下、本発明の実施の形態を説明する。
（イ）筆挿し孔（５）にペンを挿し、環状バンド（６）輪内に食指と中指を通し、親指・食指・中指でペンを起しホルダー（７）を筆記等の邪魔にならない位置にずらせば筆記等が出来、指をを離せば、環状バンド（６）が弾力でホルダー（７）の斜辺（８）を中指と食指の根部に接するよう引き寄せるので、ペン先が掌面から離れ掌中に横になって保持される。  （図１・図２参照）
（ロ）ホルダー蓋（３）を外せば、ホルダー溝（２）が開くのでバンド通し孔（４）内に、環状バンド（６）を出し入れ出来る。  （図３）
バンド通し孔（４）内に環状バンド（６）が摺動自在に嵌合した場合、環状バンド（６）全体の伸びが均一になるため部分疲労による破断が防げ自由にペンが動かせ破損交換も容易となるし、環状バンド（６）を他の指にかけても、また手の甲側にペン等を保持しても良い。
また環状バンド（６）は、弾性部を少しでも長くとる必要があるため接続部分や長さ調整部分を廃し環状にしてあるが、繋いで輪にしても、途中に輪を開平自在としたり長さ調節出来る長さ調節部（９）を設けても良い。  （図５）
（ハ）なお筆挿し孔（５）内に、外周が筆挿し孔（５）と摺動自在に嵌合し、、内周がペンの径や外形に合わせて、これと摺動自在に嵌合する摺動管（１０）を嵌め込んだ場合、必要なペンを使い易く装着できる。  （図６）
【発明の効果】
【０００７】  ペン等が、筆記に適した姿勢から収納に適した姿勢に連続的に変更出来、指を離しても掌内に、ペン先が掌面から離れて支持されるので、ペン先で手を汚したり傷をつけたりするなどの欠点が少なく、ペン等を手から離さず５本の指を使用してキーボード等の操作が出来る。また、摺動管（１０）を挿入することで、ペン軸が六角形や細過ぎる場合等でもペンを持ち易く書き易く、ペンを回転させたり、持ち易い位置に移動出来、筆記や入力が容易になる。
【図面の簡単な説明】
【図１】本発明の使用状態の斜視図
【図２】使用状態の斜視図
【図３】使用状態の斜視図
【図４】使用状態の斜視図
【図５】全体を示す斜視図
【図６】使用状態の斜視図
【図７】ホルダー部分の斜視図
【符号の説明】
ホルダー本体（１）、ホルダー溝（２）、ホルダー蓋（３）、バンド通し孔（４）、筆挿し孔（５）、環状バンド（６）、ホルダー（７）、斜辺（８）、長さ調節部（９）、摺動管（１０）、
【図１】
2009179054.tif 000003
【図２】
2009179054.tif 000004
【図３】
2009179054.tif 000005
【図４】
2009179054.tif 000006
【図５】
2009179054.tif 000007
【図６】
2009179054.tif 000008
【図７】
2009179054.tif 000009
(57)【要約】      （修正有）【課題】薄く平板状に成型したものに筆記用の芯を取り付けた平形のペンを提供する。【解決手段】薄く平板状に成型したものに筆記用の芯を取り付けた事を特徴とする。【選択図】図１
2009179056.tif 000002
【特許請求の範囲】
【請求項１】
薄く平板状に成型したものに筆記用の芯を取り付けた平形のペン
【請求項２】
請求項（１）に流線形、瓢箪形のくびれ曲線をもたせた平形のペン
【発明の詳細な説明】
【技術分野】
【０００１】この発明は薄く平板状に成型したものに筆記用の芯を取り付けた平形のペンに関する
【背景技術】
【０００２】従来、筆記用具としては円形棒状または角形棒状のものに筆記用の芯を取り付けたものが知られている。
【発明の開示】
【発明が解決しようとする課題】
【０００３】現在使用されている鉛筆、ボールペン等の筆記用具は棒状のものであり、転がりやすく散らばりやすい。
また、ノート、手帳、本、胸のポケット等に差し込むと膨らみゴロゴロとした違和感を生じ、ノート等に挟んで持ち歩く場合は落す等の欠点がある。
以上の様な理由から、筆立て、筆箱等の収納容器を必要とする。
【課題を解決するための手段】
【０００４】平形に成型したものに筆記用の芯を取り付ける。
【発明の効果】
【０００５】転がらず散らばらず、ノートや本の間に挟んでも膨らまない。またしおりとしても併用出来る。
胸ポケットに差しても違和感がない。
【発明を実施するための最良の形態】
【実施例】
【０００６】１）木、強化段ボール、金属、プラスチック等の平板に筆記用の芯を取り付ける
２）（１）に、指先で持つ部分にくびれをもたせる。
３）（１）の頭部分にクリッップを取り付ける
３）（１）の芯をスライド、またはノック式にする
【産業上の利用可能性】
【０００７】平らである為、持つ部分の支点が安定して使いやすく、また収納もしやすい。
広い幅の平らな面を持たせる事が出来る事から、ロゴマーク等のある程度幅を必要とするデザインや図案を印刷する事も出来、その他様々なデザインが印刷できる。
また印刷できる文字数の制限が緩和される。
【図面の簡単な説明】
【図１】本発明の斜視図である。
【符号の説明】
１  筆記用の芯
２  平形の外形
３  持つ部分のくびれ
【図１】
2009179056.tif 000003
(57)【要約】      （修正有）【課題】足をけがして、シップをしたりほう帯をしたりした時、または靴下の脱着に時間をようしたり、できないことがないようにする。【解決手段】横から足首にかけて開き、かつ面ファスナーをつけることに依って、靴下の脱着を簡単にする。【選択図】図１
2009097130.tif 000002
【特許請求の範囲】
【請求項１】
靴下の内側横指手前から足首横内側にかけて開き、大きく広げることが出来る靴下
【請求項２】
靴下の横から開く上側、下側部分及び足首横前後にかけてオン、メンの面ファスナー（マジックテープ）のついている靴下
【発明の詳細な説明】
【技術の分野】
【０００１】本発明は靴下の内側横指手前から足首横内側にかけて開き、かつ開く部分上下に面ファスナー（マジックテープ）のついている靴下
【０００２】従来はたびの様なものはあったが、横から上下に大きくひらくものは無く足をけがをして、シップやほうたいをした時大変苦労をしていた。
【発明の展示】
【発明が解決しょうとする課題】
【０００３】足をけがした場合などに簡単に靴下をはいたりぬいだりする為
【課題を解決するための手段】
【０００４】靴下の内側横指手前から足首横手前にかけて開き、かつその開いた上下の部分にオン、メンの面ファスナー（マジックテープ）をつける。
【０００５】また請求項２の発明は、靴下をはいて、ちょうど足が曲がる部分の下側の面ファスナー（マジックテープ）を少し広くはばをとるのがよいものである。横から足首にかけて開きかつ面ファスナー（マジックテープ）のついている靴下
【発明の効果】
【０００６】本発明により、足をけがした場合に靴下の脱着が簡単になり、体にふたんをあたえず、早くできる。また足をけがしない場合でも脱着が簡単なので便利である。
【発明を実施するための最良の形態】
【０００７】図１は横から足首にかけて靴下が大きく開き、かつ面ファスナー（マジックテープ）が開いた部分上下にオン、メンで片側づつ付いているので、開く部分は、どうしても靴をはくので足の横側にしたほうが安全で足の負担が少ない。【０００８】図２は靴下をはいた場合、つまり靴下の大きく開く部分の面ファスナー（マジックテープ）をとじた状態で足の曲がるくるぶしの付近で少し下側の部分の面ファスナー（マジックテープ）のうけ（メン）の部分のはばが広い。【０００９】本発明の靴下は簡単に脱着ができ、足をけがした場合などに特に便利である。また面ファスナー（マジックテープ）は全面につけるものでなくてもよい。【００１０】本発明は産業のうえで多方面にうけいれやすく、靴下をぬいだり、はいたりに緊急をようする時にもよい。
【図面の簡単な説明】
【００１１】
【図１】本発明の靴下の開く部分を開けた状態の側面図、約４分の１の縮尺
【図２】本発明の面ファスナー（マジックテープ）をとじて靴下をはいた状態の側面図、約４分の１の縮尺。この図は直に足の甲にシップをはっている状態である。
【図３】本発明の実施図（足の側面外側から見た側面図、約４分の１の縮尺）
【符号の説明】
【００１２】１．靴下
２．面ファスナー（マジックテープ）
３．人間の足
【図１】
2009097130.tif 000003
【図２】
2009097130.tif 000004
【図３】
2009097130.tif 000005
(57)【要約】【課題】  住居中の家屋を改造し、耐震化するためには長期間煩雑な工事や高額費用がかかる問題点がある。そこで、廊下天井（５）上辺部に鋼鉄製筋交い（１）を設置し、廊下壁面部分（４）にＬ型鋼材（９）を張り、隅柱（２）、間柱、菅柱など連結固定した。【解決手段】  鋼鉄製（１）又は、木製の筋交いを隅柱（２）にスクリュウ釘（７）にて固定し、その下にＬ型鋼材（９）の逆Ｌ字にして隅柱（２）に固定し、間柱、菅柱（図略）なども同様に連結固定する。又、同じ様に相対する廊下の片側にあるＬ型鋼材（９）も廊下上より同じ高さにして双方とも設置固定する。【選択図】  図２
2009097164.tif 000002
【特許請求の範囲】
【請求項１】
屋内廊下の天井（５）に近接する胴縁、鴨居上辺部空間に鋼鉄製（１）又は、木製の筋交い（図略）を設置したことを特徴とする地震対策用筋交い。
【請求項２】
屋内廊下左右側壁（４）の隅柱（２）や間柱、菅柱（図略）にＬ型鋼材（９）又は、溝形鋼（図略）、角パイプ（図略）など長尺物鋼鉄にて連結固定し、強化し、鋼鉄製（１）又は、木製の筋交い（１）を載置固定したことを特徴とする請求項１記載の地震対策用筋交い。
【発明の詳細な説明】
【技術分野】
【０００１】
本発明は地震による家屋の倒壊を防ぐために屋内廊下の天井（５）に隣接する胴縁、鴨居上辺部空間に設置する鋼鉄製（１）又は、木製の筋交いと、Ｌ型鋼材（９）など長尺物鋼鉄にて屋内廊下左右側壁（４）の隅柱（２）や間柱、菅柱など複数以上の柱類を連結固定し、大地震の揺れに抵抗することに関するものである。  
【背景技術】
【０００２】
従来、耐震用防御策として様々な筋交い案が提案されているが、改築時には長期間に渉り大掛かりな工事と高額費用が必要となる。
【０００３】
【特許文献１】特開  ２００６−２１４２０７号公報
【特許文献２】特開  ２００５−３５１０６８号公報
【発明の開示】
【発明が解決しようとする課題】
【０００４】
新築時に耐震用防御策としての筋交い、其の他の設備は施工し易いけれども、現在、住居中の家屋を改造し、耐震化するためには長期間煩雑な工事と高額費用がかかる問題点がある。そこで、壁（４）を壊すことなく、筋交いとＬ型鋼材（９）で強化した。
【課題を解決するための手段】
【０００５】
上記目的を達成するため、本発明は屋内廊下の天井（５）に隣接する胴縁、鴨居上辺部空間に鋼鉄製（１）又は、木製の筋交いを隅柱にスクリュウ釘（７）で固定する。
【０００６】
次に、屋内廊下左右側壁（４）にある左右の隅柱（２）や間柱、菅柱（図略）など胴縁、鴨居上辺部柱類を連結するため、長いＬ型鋼材（９）を配置し、スクリュウ釘（７）にて固定し強化した。
【発明の効果】
【０００７】
廊下左右側壁（４）にある左右の複数以上の柱や鴨居にＬ型鋼材（９）をスクリュウ釘（７）にて連結固定するため、壁面が強くなるし、又、相対する廊下の柱の要所などに鋼鉄製（１）又は、木製の筋交いが固定されれば屋内全体が強固になる。更にあらゆる壁を破壊することなく、強化工事を施工する事が可能なので工費が安価になる利点がある。
【発明を実施するための最良の形態】
【０００８】
図１は鋼鉄製筋交い（１）の平面図である。幅１０ｃｍの鋼鉄製平板を枠板（６）とし、角パイプ（８）をＸ型に配置し溶接し、左右両横枠板にはスクリュウ釘（７）を打つための小穴（１０）が２箇所ずつ開けられている。この小穴（１０）が開いている横枠板部分は隅柱（２）などに固定されるのであるが、この柱の背後に間仕切壁などがあり大地震の揺れに対する抵抗力のある壁や複数以上の柱類が存在することが筋交い（１）を設置する場所としては最適である。そして、鋼鉄製（１）又は、木製の筋交いの枠幅は密着する柱の幅とは同じ幅が望ましい。
【０００９】
次に、屋内廊下天井（５）に平行せる鴨居またはその上辺部の左右側壁にある隅柱（２）や間柱、菅柱（図略）など柱間を連結するため、長さを測る。そして、廊下柱間の直線長さと同じ長さのＬ型鋼材（９）を二本用意する。二本のＬ型鋼材（９）は逆Ｌ字の柱に接する部分の隅柱（２）や間柱、菅柱などにスクリュウ釘（７）を打つ位置に予め穴を開けておく。
【００１０】
上記、２点が用意出来れば、図２に示されたように鋼鉄製（１）又は、木製の筋交いを隅柱（２）にスクリュウ釘（７）にて固定し、その下にＬ型鋼材（９）の逆Ｌ字にして隅柱（２）に固定し、間柱、菅柱（図略）なども同様に連結固定する。又、同じ様に相対する廊下の片側にあるＬ型鋼材（９）も双方とも廊下上より同じ高さにして設置固定する。
【００１１】
廊下上に設置固定されたる逆Ｌ型鋼材（９）、或いは溝形鋼（図略）、角パイプ（図略）など長尺物鋼鉄上に厚板を戴置し、ボルト（図略）にて固定すれば、廊下壁面（４）が強化され、又、棚（図略）にもなる利点がある。
【図面の簡単な説明】
【００１２】
【図１】本発明の鋼鉄製筋交いの平面図である。
【図２】本発明の鋼鉄製筋交いを廊下上辺部に設置した斜面図である。
【符号の説明】
【００１３】
１  鋼鉄製筋交い
２  化粧板に隠れたる隅柱
３  天井梁
４  化粧板壁
５  廊下天井上辺部
６  鋼鉄製薄平板箱枠
７  スクリュウ釘
８  箱パイプ
９  Ｌ型鋼材
１０  スクリュウ釘穴
【図１】
2009097164.tif 000003
【図２】
2009097164.tif 000004
(57)【要約】【課題】  歯磨きや髭剃り時の手から垂れる水を切り、衣服の袖が濡れることを防止する着脱が容易な水垂れ防止用腕輪を提供する。【解決の手段】  腕に接するゴム状の内接部（２）と、一端が切れて重なり合う面を有する、すり鉢状の輪（１）が一体化されており、材料及び本形状が有する弾性により腕に密着させる構造としたことを、特徴とする。【選択図】図１
2009097131.tif 000002
【特許請求の範囲】
【請求項１】
腕に接するゴム状の内接部（２）と、一端が切れて重なり合う面を有する、すり鉢状の輪（１）が一体化されており、材料及び本形状が有する弾性により腕に密着させ、手から垂れてくる水を切り落すことを特徴とする水垂れ防止用腕輪。
【発明の詳細な説明】
【技術分野】
【０００１】  本発明は、水垂れを防止する為の腕輪に関するものである。
【背景技術】
【０００２】  従来、水垂れ防止用腕輪はあった。
【発明の開示】
【発明が解決しようとする課題】
【０００３】  これは次のような欠点があった。
（イ）タオル生地等吸湿性材料を使用したものは不潔になりやすかった。
（ロ）ゴム等を用いた円筒を腕輪部に使用したものは着脱が困難であった。
本発明は、これらの欠点を除くためになされたものである。
【課題を解決するための手段】
【０００４】    腕に接するゴム状の内接部（２）と、一端が切れて重なり合う面を有するすり鉢状の輪（１）が一体化されており、材料及び本形状が有する弾性により腕に密着させる。  本発明は以上のような構成よりなる水垂れ防止用腕輪である。
【発明の効果】
【０００５】  発明は以上のような構造で、手を上げた状態で、これをゴム状縁（２）を上に切断部を親指側にして腕先端部に装着すれば、歯磨き、髭剃り時等に手から垂れた水はこれにより断ち切られて下に落ちる為、衣服の袖が濡れる事を防止できる。
【発明を実施するための最良の形態】
【０００６】以下、本案の実施の形態について説明する。
（イ）底部直径９０ｍｍ程度、高さ３７ｍｍ程度、上部直径５０ｍｍ程度で、厚みが薄いすり鉢形輪（１）の一端が垂直に切断されたものを、プラスチックで射出成型する。
（ロ）切断部反対側を加熱して内側に折り曲げ、切断面を２０ｍｍ程度重合わせる。
（ハ）輪（１）の上部にシリコン樹脂を用いて縁（２）を設け一体化する。
【図面の簡単な説明】
【０００７】
【図１】本考案の斜視図である。
【図２】本発明を右腕に装着した図である。
【符号の説明】
【０００８】  １  すり鉢形輪
２  ゴム状縁
【図１】
2009097131.tif 000003
【図２】
2009097131.tif 000004
(57)【要約】【課題】寝たきり老人、痴呆症患者等が着用している介護用オムツなどの蒸れや排泄物の不快感、あるいは身体のかゆみ等により、故意又は無意識に介護用オムツを外そうとしたり又は外すに至り、下着を含め肌着や衣類及び寝具を汚物で汚すといった問題が生じる。また、排泄物の湿りによる蒸れが原因で床ずれを発症させることもある。介護をする者にとっては、それら予期せぬ処置作業等に思いがけない時間をとられ、介護される者にとっても一層負担が掛かる。これらを鑑み、寝たきり老人、痴呆症患者等が介護用オムツを外すことが容易ではない形成で構成し、且つ介護する者にとっては介護用オムツの交換作業が容易で、時間を節約でき、衛生的に実施できる肌着を提供する。【解決手段】肌着１の裾部２に股下部３を設け、股下部３は前身側５、背面側６へ、それぞれを止め具４により連結及び分離可能にしたことを特徴とする。【選択図】図１
2009097132.tif 000002
【特許請求の範囲】
【請求項１】
肌着１の裾部２に股下部３を設け、股下部３は前身側５、背面側６へ、それぞれを止め具４により連結及び分離可能にしたことを特徴とする介護用肌着
【発明の詳細な説明】
【発明の詳細な説明】
【技術分野】
【０００１】本発明は肌着１の裾部２に股下部３を設け、股下部３は前身側５、背面側６へ、それぞれを止め具４により連結及び分離可能にしたことを特徴とする介護用肌着に関するものである。
【背景技術】
【０００２】特に、寝たきり老人、痴呆症患者等が着用している介護用オムツなどの蒸れや排泄物の不快感、あるいは身体のかゆみ等により、故意又は無意識に自力で介護用オムツを外そうとしたり又は外すに至り、下着を含め肌着や衣類及び寝具を汚物で汚すことを抑止するために、下着やパジャマを紐等で強固に固定したり、錠前等を併用して容易には外すことが出来ないようにするものである。しかしそれら防止策は、介護をする者にとっては非常に煩わしいものであり、介護される者にとっても精神衛生上不快である。
【発明が解決しようとする課題】
【０００３】特に、寝たきり老人、痴呆症患者等が着用している介護用オムツなどの蒸れや排泄物の不快感、あるいは身体のかゆみ等により、故意又は無意識に自力で介護用オムツを外そうとしたり又は外すに至り、下着を含め肌着や衣類及び寝具を汚物で汚すといった問題が生じ、その都度交換処置等が発生する。また、場合によっては排泄物の湿り拡大飛散による蒸れが原因で床ずれを発症させることもある。
【０００４】介護をする者にとっては、それら予期せぬ交換処置作業等に思いがけない時間をとられる。結果的にその都度、介護される者にとっても一層負担が掛かる。これらを鑑み、寝たきり老人、痴呆症患者等が故意又は無意識に介護用オムツを外すことが容易ではない形成で構成し、且つ介護する者にとっては介護用オムツの交換作業が容易であり衛生的に実施できる肌着を提供しようとするものである。
【課題を解決するための手段】
【０００５】肌着１の裾部２に股下部３を設け、股下部３は前身側５、背面側６へ、それぞれを止め具４により連結及び分離可能にすることにより上記問題点を解決する。
【発明を実施するための最良の形態】
【０００６】以下、本発明の実施の形態について図を参照にして説明する。図１は本発明の実施の形態に係る正面図である。股下部３は肌着１と一体の構成であり、股下部３は肌着１の裾部２に位置する。裾部２に設けた股下部３は、止め具４により前身側５と背面側６を連結及び分離自在とする。【０００７】止め具４は股下部３下端から、やや前身側５の方向に取り付けた方が、より機能的である。【０００８】止め具４はボタンやホック、あるいはマジックテープやファスナ等であってもよいが、スナップを用いた固定手段がより効果的であり望ましい。
【実施例】
【０００９】図４は本発明の実施例のうちの一であり、主に夏用として袖部をあえて付けない形態とした介護用肌着である。夏用の介護用肌着以外にも冬用として例えば、図１のような半袖のものより長めの袖丈の介護用肌着であってもよい。
【発明の効果】
【００１０】特に、寝たきり老人、痴呆症患者等が着用している介護用オムツなどの蒸れや排泄物の不快感、あるいは体のかゆみ等により、故意又は無意識に自力で介護用オムツを外そうとしたり又は外すに至り、下着を含め肌着や衣類及び寝具を汚物で汚すといった問題点の主な原因は、一般的な衣類は上肢部と下肢部それぞれが分かれているためである。すなわち上肢部と下肢部の間から、下肢部に装着した介護用オムツ等の下着類に、容易に直接手が届くために、故意又は無意識に自力で介護用オムツを外せるからである。それら問題点は、肌着１の裾部２に股下部３を設け、股下部３は前身側５、背面側６へ、それぞれを止め具４により連結及び分離可能とした構成とすることにより、故意又は無意識に自力で介護用オムツを外そうと試みても、容易には出来ない。本発明介護用肌着は前記に述べたような一般的な衣類とは異なり、上肢部と下肢部が分離された形態ではないため、すなわち本発明の介護用肌着は上肢部と下肢部が一体形成であり股下部３を有する構成であることから、寝たきり老人、痴呆症患者等が故意又は無意識に自力で介護用オムツを外そうと試みても、直接手が届かない状態を維持した形成であるため、介護用オムツを外すことが困難な状況となる。
【００１１】したがって、結果的に下着を含め肌着や衣類及び寝具を汚物で汚すといった問題を効果的に抑止できる。さらに、介護をする者にとっては股下部３に設けた止め具４による連結、分離操作により介護用オムツを容易且つ素早く衛生的に交換することが可能となる。以上のことから、簡単な構成からなる介護用肌着の着用により、介護する者と介護される者の両者にとっての負担軽減と、介護時間の節約、そして寝たきり老人や痴呆症患者等の衛生的観点において極めて有益な効果を奏するものである。
【図面の簡単な説明】
【図１】本発明介護用肌着を正面から見た図である。
【図２】本発明介護用肌着の股下部が連結された状態を側面から見た図である。
【図３】本発明介護用肌着の股下部が分離された状態を側面から見た図である。
【図４】本発明実施例である。
【符号の説明】
１      肌着
２      裾部
３      股下部
４      止め具
５      肌着前身側
６      肌着背面側
【図１】
2009097132.tif 000003
【図２】
2009097132.tif 000004
【図３】
2009097132.tif 000005
【図４】
2009097132.tif 000006
(57)【要約】【課題】木造トラス組柱が木造家屋の他の木造構造材と調和し、余計な外面加工処理をする必要がない木造家屋における木造トラス組柱を提供する。【解決手段】複数本の木製柱と、該木製柱１ｂ−１間にトラス状に組み付けられた木製斜材および木製横架材から構成される。【選択図】        図２
2009097237.tif 000002
【特許請求の範囲】
【請求項１】
複数本の木製柱と、該木製柱１ｂ−１間にトラス状に組み付けられた木製斜材および木製横架材から構成されることを特徴とする木造家屋における木造トラス組柱。
【請求項２】
平面視でＬ字型、Ｔ字型あるいは十字型に組み付けられていることを特徴とする請求項１に記載の木造家屋における木造トラス組柱。
【発明の詳細な説明】
【技術分野】
【０００１】
本発明は、木造家屋における木造トラス組柱に関するものである。
【背景技術】
【０００２】
従来、木造家屋の補強構造としては、２本の柱間と土台および梁に囲まれた矩形軸組構造における筋交いが一般に良く知られているが、この筋交いを密に組み込んで補強を強化したものはなく、鉄骨のトラス構造を木造家屋に組み込んだものはあった（特開平８−３１２１９３号公開公報）。
【０００３】
しかし、前記従来の鉄骨製トラス構造は、鋼製構造であるため、これを組み込んだ木造家屋と違和感があり、木造家屋と調和させようとすると、トラス構造を構成する鋼材を外面加工処理しなければならず、手間やコストがかかるだけでなく、その加工材によって部屋が狭くなる虞がある等の問題点がある。
【特許文献１】特開平８−３１２１９３号公開公報
【発明の開示】
【発明が解決しようとする課題】
【０００４】
本発明が解決しようとする課題は、木造トラス組柱が木造家屋の他の木造構造材と調和し、余計な外面加工処理をする必要がない木造家屋における木造トラス組柱を提供することにある。
【課題を解決するための手段】
【０００５】
本発明の木造家屋における木造トラス組柱は、複数本の木製柱と、該木製柱１ｂ−１間にトラス状に組み付けられた木製斜材および木製横架材から構成されることを特徴とする。また、平面視でＬ字型、Ｔ字型あるいは十字型に組み付けられていることを特徴とする。
【発明の効果】
【０００６】
本発明の木造家屋における木造トラス組柱は、軸組構造の木造家屋の耐震補強構造となるだけでなく、木造家屋の他の木造構造材と調和し、余計な外面加工処理をする必要がない。
【発明を実施するための最良の形態】
【０００７】
以下、本発明の木造家屋における木造トラス組柱の一実施例について、図面を参照しながら説明する。
【０００８】
図１において、１は木造家屋、２は木造シェルター部屋である。
【０００９】
上記木造家屋１は、図２からも明らかなように、木製土台１ａと木製トラス組柱１ｂと木製桁１ｃと木製梁１ｄ等の木造の軸組構造材から構成されている。
【００１０】
上記木製トラス組柱１ｂは、複数本の木製柱１ｂ−１と、該木製柱１ｂ−１間にトラス状に組み付けられた木製斜材１ｂ−２および木製横架材１ｂ−３から構成されている。該木製トラス組柱１ｂは、木造家屋１のコーナー部では平面視でＬ字型に、木造家屋１の外面部ではＴ字型に、それぞれ組み付けられている（図１を参照）。上記木製斜材１ｂ−２は、中間に位置する木製柱１ｂ−１に対して対称に組み付けるのが好ましい。
図３からも明らかなように、上記木製桁１ｃと木製梁１ｄにより構成された、上記木製トラス組柱１ｂの天井部は、Ｘ状の木製斜材１ｅにより補強されている。なお、木造家屋１の内部では、十字型に組み付けてもよい（図示せず）。
【００１１】
上記木造シェルター部屋２は、図４からも明らかなように、上記木造家屋１の複数の部屋の内、地震時に避難し易い１部屋（１間）を選んで、その中に納められている。
【００１２】
上記木造シェルター部屋２は、図５からも明らかなように、主として木製土台２ａと木製トラス組柱２ｂと木製トラス桁２ｃと木製梁２ｄ等の木製の軸組構造材から構成されている。該木製トラス組柱２ｂは、複数本の木製柱２ｂ−１と、該木製柱２ｂ−１間にトラス状に組み付けられた木製斜材２ｂ−２および木製横架材２ｂ−３から構成されている。上記木製トラス桁２ｃは、Ｘ状の木製斜材２ｅを有する。
上記木造シェルター部屋２には、必要に応じて、木製天井屋根２ｆが組み付けられる。該木製天井屋根２ｆは、木製棟木２ｆ−１と木製天井パネル２ｆ−２から構成される。
【００１３】
上記実施例では、木造シェルター部屋２が上記木造家屋１の複数の部屋の内、地震時に避難し易い１部屋（１間）を選んで、その中に納められているが、本発明はこれに限定するものではなく、複数の部屋を有する軸組構造の木造家屋において、少なくとも１つの部屋をシェルター機能を有する木造耐震構造に構築してもよい。この場合、シェルター機能を有する部屋は、前記木造シェルター部屋２とほぼ同じ構造の、木製土台と木製トラス組柱と木製トラス桁と木製梁等の木製の軸組構造材から構成される。
【００１４】
上記実施例では、１階建の木造家屋について説明したが、本発明はこれに限定するものではなく、２階建て或いは３階建て等の複数階建ての木造家屋であってもよい。複数階の場合には、上記木造シェルター部屋２を１階だけでなく２階あるいは３階にも設けてもよい。この場合、木造シェルター部屋２を上下同じ位置に配置するのが好ましく、上記木製柱２ｂ−１を上下階を貫く貫柱とするのがよい。
【図面の簡単な説明】
【００１５】
【図１】本発明の木造家屋における木造トラス組柱の一実施例を示す平面図である。
【図２】図１の木造家屋における木造トラス組柱の斜視図である。
【図３】図２の天井部の平面図である。
【図４】木造シェルター部屋を組み込んだ木造家屋の側面図である。
【図５】木造シェルター部屋の斜視図である。
【符号の説明】
【００１６】
１    木造家屋
１ａ  木製土台
１ｂ  トラス組柱
１ｂ−１  木製柱
１ｂ−２  木製斜材
１ｂ−３  木製横架材
１ｃ  木製桁
１ｄ  木製梁
１ｅ  木製斜材
２    木造シェルター部屋
２ａ  木製土台
２ｂ  木製トラス組柱
２ｃ  木製トラス桁
２ｄ  木製梁
２ｅ  木製斜材
２ｆ  木製屋根
２ｆ−１  木製棟木
２ｆ−２  木製天井パネル
【図１】
2009097237.tif 000003
【図２】
2009097237.tif 000004
【図３】
2009097237.tif 000005
【図４】
2009097237.tif 000006
【図５】
2009097237.tif 000007
(57)【要約】【課題】  山間部をはじめ樹木の多い地域では、雨樋に落ち葉が積もりその役目を果たさなくなってしまう事が多い。落ち葉が積もった雨樋の掃除は大変であり、２階の屋根、３階の屋根の雨樋となると更に困難を極める。【解決手段】  Ｌ字形に近い片肩上がりの雨樋を覆うはめ込み式カバーで、雨だれを受ける斜面側に無数の水抜き穴を開け、雨水だけを雨樋内に落とし、落ち葉や大きなゴミは斜面に沿ってすべり落ちる様にした。これにより、屋根を滑ってきた落ち葉もゴミも風や雨の自然の力で雨樋上を払い除けられていく。【選択図】図１
2009097320.tif 000002
【特許請求の範囲】
【請求項１】
雨樋の上部を覆うカバーで、Ｌ字形に近い片肩上がりの形状を持ち、屋根から雨水を受ける斜面に無数の水抜き穴、又は、網目状の水抜き穴を施し、両縁に雨樋縁とはめ込み結合出来る溝形状を施した雨樋カバー。
【発明の詳細な説明】
【技術の分野】
【０００１】  本発明は、家屋屋根の雨樋に落ち葉やゴミなどの堆積を防ぐ雨樋カバーに関する。
【背景の技術】
【０００２】  家屋屋根の雨だれ受け横樋は半円形に天を向いてその目的を果たしているため、落ち葉や他の様々なゴミが堆積しやく掃除が大変である。
【発明の開示】
【発明が解決しょうとする課題】
【０００３】  樹木が多く枯葉が舞い散る地域の家屋では、雨樋に詰まる落ち葉掃除に苦労する。そしてこれを放置しておくと細かなゴミも一緒に堆積してくる。これは雨樋が天を向いて開いている構造から防げない課題である。
【０００４】  本発明は、この課題を解決するため、雨水は通し、落ち葉は停留させない雨樋カバーの実現を目的とする。
【課題を解決するための手段】
【０００５】  本発明は、上記の目的を達成するため、雨樋カバーの両縁に雨樋の縁にはまり込む半円形の雨樋はめ込み部を設け、片肩上がりのＬ字に近い形にして、雨水を受ける斜面側全面に交互に並ぶ無数の穴を開けて雨水だけを雨樋に落とすようにした。
【発明の効果】
【０００６】  本発明の片肩上がり側を家側にして雨樋上部にはめ込む事により、雨樋カバー上に落ちてきた落ち葉やゴミは、カバーの斜面効果が働き、軒下の外方向へ落ちて行き、堆積する事を防げる。雨水はカバー斜面側に交互無数に空いている穴から雨樋の中に落ちるので、雨と落ち葉が分離される。
【実施例】
【０００７】  本発明の図１に示す３の穴を直径１０ミリで図のように交互に開け、カバー斜面部角度を水平に対し３０度にして、瓦屋根縦１列の雨水を想定し、水道の蛇口の流れで実験したところ、毎分８リットルまでは穴の配列効果が働き、容易に雨樋の中に落ちた。【０００８】  針葉樹のような細かい落ち葉を想定し、カバー斜面の穴を直径５ミリにして上記０００７と同様な方法で実験したところ、毎分８リットル以上の流れに充分対応出来た。【０００９】  落ち葉には、広葉樹・針葉樹など様々あるが、上記の２例実施時に、０００７では、雨樋カバー上に、カエデの葉・モクセイの葉を、０００８ではクロマツの葉・ササの葉を、それぞれ落として見たが、松葉が垂直に落ちてきて穴に入らない限り、全て雨樋の中に入り込む事は無かった。
【図面の簡単な説明】
【００１０】
【図１】平面図
【図２】Ａ−Ａ断面図
【図３】雨樋にセットした断面図
【符号の説明】
【００１１】    １  本体
２  雨樋はめ込み部
３  穴
４  雨樋
【図１】
2009097320.tif 000003
【図２】
2009097320.tif 000004
【図３】
2009097320.tif 000005